(57)【要約】【課題】コードレス子機等の被充電機器に充電を行う充電装置において、静電気による弊害を抑制することのできる充電装置を提供する。【解決手段】充電されることにより動作可能な被充電機器Ｐを接続可能であり、かつ、接続される被充電機器Ｐに対向するように突出した端子部材７を有する本体２を備え、端子部材７を介して被充電機器Ｐを充電するための充電装置１であって、本体２には、静電気をグランド電位に導くための導電部材９が設けられ、導電部材９は、端子部材７の突出方向における突出量が端子部材７の突出量に比べ長くされている。【選択図】  図３
2004208350.tif 000002
【特許請求の範囲】
【請求項１】
充電されることにより動作可能な被充電機器を接続可能であり、かつ、接続される前記被充電機器に対向するように突出した端子部材を有する本体を備え、前記端子部材を介して前記被充電機器を充電するための充電装置であって、
前記本体には、静電気をグランド電位に導くための導電部材が設けられ、
前記導電部材は、前記端子部材の突出方向における突出量が前記端子部材の突出量に比べ長くされていることを特徴とする充電装置。
【請求項２】
前記端子部材は、前記本体の表面に並設された正極端子部材および負極端子部材によって構成されており、
前記導電部材は、前記正極端子部材寄りに配されている、請求項１に記載の充電装置。
【請求項３】
前記端子部材および前記導電部材は、前記本体に形成された開口から出没可能な線細工ばねによってそれぞれ構成されており、
前記導電部材のばね弾性力は、前記端子部材のそれより小に設定されている、請求項１または２に記載の充電装置。
【請求項４】
前記導電部材は、前記本体に前記被充電機器を接続したときの、前記被充電機器に対する接触面積が前記端子部材のそれより広く形成されている、請求項１ないし３のいずれかに記載の充電装置。
【請求項５】
前記導電部材は、前記端子部材の周囲に複数設けられている、請求項１ないし４のいずれかに記載の充電装置。
【請求項６】
前記導電部材は、その表面に単層の金属メッキ処理が施されている、請求項１ないし５のいずれかに記載の充電装置。
【発明の詳細な説明】
【０００１】
【発明の属する技術分野】
本発明は、充電されることにより動作可能な、たとえば携帯電話またはコードレス子機等の被充電機器を充電するための充電装置に関する。
【０００２】
【従来の技術】
たとえば電子機器においては、一般に、人体等において蓄積された静電気に起因して、内部に設けられた電子回路が誤動作を起こしたり、電子素子等が破壊されたりするおそれがある。そのため、電子機器では、静電気を大地に逃がすような対策を施すことにより、上記おそれを抑制するようにしている（たとえば、特許文献１参照。）。
【０００３】
【特許文献１】
特開昭６２−２２９６９２号公報
【０００４】
ところで、一般家庭等で用いられている電話機には、携帯可能なコードレス子機としての被充電機器が付属されていることが多い。このような被充電機器は、携帯可能であるが、ユーザが未使用の場合には、電話機本体に一体的に設けられた載置台に、あるいは電話機本体と別体に設けられた載置台に載置される。また、被充電機器は、通常、その内部に備えられたバッテリーが充電されることによって動作することから、上記載置台が被充電機器に対して充電を行うための充電器としての機能を兼ね備えている場合が多い。すなわち、被充電機器を上記載置台に載置すると、必要に応じて充電が行われる。
【０００５】
図１１は、上記充電装置の一例を示す外観図であり、(a) は正面図、(b) は右側面図である。この充電装置４１の正面下部には、被充電機器Ｐが載置される凹陥部４２が形成されている。凹陥部４２には、プラス側端子部材４３ａおよびマイナス側端子部材４３ｂがそれぞれ設けられている。端子部材４３ａ，４３ｂは、たとえば線細工ばねによって構成されており、一部が、載置される被充電機器Ｐに対向するように突出している。
【０００６】
充電装置４１には、端子部材４３ａ，４３ｂに接続され、かつ、充電機能を実現するための種々の回路素子（図示略）が実装された回路基板４４が内装されており、この回路基板４４は、外部に設けられた変換アダプタ４５に接続されている。変換アダプタ４５は、コンセントプラグ４６を介して供給される商用電源（交流電圧）を直流電圧に変換して上記回路基板４４に供給するものである。
【０００７】
このような構成により、被充電機器Ｐが充電装置４１に載置されると、端子部材４３ａ，４３ｂは、被充電機器Ｐの底部に設けられた電極部Ｐｃに接触するとともに、その電極部Ｐｃによって押圧され、充電装置４１の内側に後退させられる。そして、変換アダプタ４５によって変換された直流電圧が回路基板４４、端子部材４３ａ，４３ｂおよび電極部Ｐｃを介して被充電機器Ｐに供給され、これにより、被充電機器Ｐに対して充電が行われる。
【０００８】
【発明が解決しようとする課題】
ここで、上記充電装置４１において、たとえばユーザが端子部材４３ａ，４３ｂの汚れ等を拭き取ろうとした場合やユーザが被充電機器Ｐを載置しようとした場合、ユーザの指等が、突出しているプラス側の端子部材４３ａに触れてしまうことがある。このとき、たとえばユーザ（人体）に蓄積されていた静電気がプラス側端子部材４３ａを通じて回路基板４４や変換アダプタ４５に侵入してしまい、回路基板４４や変換アダプタ４５に誤動作が生じたり、それらを破損させてしまったりするといった、静電気による弊害を生じることがある。
【０００９】
本発明は、上記の点に鑑みて提案されたものであって、コードレス子機等の被充電機器に充電を行う充電装置において、静電気による弊害を抑制することのできる充電装置を提供することを目的とする。
【００１０】
【課題を解決するための手段】
上記目的を達成するために、請求項１に記載した発明の充電装置は、充電されることにより動作可能な被充電機器を接続可能であり、かつ、接続される前記被充電機器に対向するように突出した端子部材を有する本体を備え、前記端子部材を介して前記被充電機器を充電するための充電装置であって、前記本体には、静電気をグランド電位に導くための導電部材が設けられ、前記導電部材は、前記端子部材の突出方向における突出量が前記端子部材の突出量に比べ長くされていることを特徴としている。
【００１１】
このような充電装置によれば、静電気をグランド電位に導くための導電部材の突出量が、端子部材の突出量に比べ長くされているので、たとえばユーザが端子部材を清掃しようとしたとき、ユーザの指等が端子部材より先に導電部材に触れることになる。これにより、たとえばユーザ（人体）に蓄積されていた静電気は、導電部材を介してグランド電位に即座に導かれる。そのため、静電気がたとえば充電装置の内部に備えられた回路基板等に端子部材を介して侵入することが防止され、静電気による回路基板等における回路の誤動作等を抑制することができる。したがって、信頼性が向上された充電装置を提供することができる。
【００１２】
また、請求項２に記載した発明の充電装置は、請求項１に記載の充電装置であって、前記端子部材は、前記本体の表面に並設された正極端子部材および負極端子部材によって構成されており、前記導電部材は、前記正極端子部材寄りに配されている。
【００１３】
このような充電装置によれば、請求項１に記載の充電装置による効果に加え、導電部材が正極端子部材寄りに配されているので、正極端子部材からたとえば回路基板等に侵入しやすい静電気を確実に阻止することができる。
【００１４】
また、請求項３に記載した発明の充電装置は、請求項１または２に記載の充電装置であって、前記端子部材および前記導電部材は、前記本体に形成された開口から出没可能な線細工ばねによってそれぞれ構成されており、前記導電部材のばね弾性力は、前記端子部材のそれより小に設定されている。
【００１５】
このような充電装置によれば、請求項１または２に記載の充電装置による効果に加え、被充電機器が本体に接続された際に、線細工ばねからなる導電部材がその弾性力によって被充電機器を押圧して、端子部材と被充電機器との接触圧を下げることになるが、上記のように、導電部材のばね弾性力が端子部材のそれより小に設定されているので、導電部材による端子部材と被充電機器との接触圧への影響をより少なくすることができる。
【００１６】
また、請求項４に記載した発明の充電装置は、請求項１ないし３のいずれかに記載の充電装置であって、前記導電部材は、前記本体に前記被充電機器を接続したときの、前記被充電機器に対する接触面積が前記端子部材のそれより広く形成されている。
【００１７】
このような充電装置によれば、請求項１ないし３のいずれかに記載の充電装置による効果に加え、被充電機器に対する接触面積が前記端子部材のそれより広く形成されているので、ユーザの指等が端子部材より先に導電部材に触れる可能性を可及的に高くすることができる。
【００１８】
また、請求項５に記載した発明の充電装置は、請求項１ないし４のいずれかに記載の充電装置であって、前記導電部材は、前記端子部材の周囲に複数設けられている。
【００１９】
このような充電装置によれば、請求項１ないし４のいずれかに記載の充電装置による効果に加え、導電部材が端子部材の周囲に複数設けられているので、ユーザが端子部材に触れるより早く導電部材に触れる可能性をより一層高めることができる。
【００２０】
また、請求項６に記載した発明の充電装置は、請求項１ないし５のいずれかに記載の充電装置であって、前記導電部材は、その表面に単層の金属メッキ処理が施されている。
【００２１】
このような充電装置によれば、請求項１ないし５のいずれかに記載の充電装置による効果に加え、たとえば端子部材では被充電機器の電極に接触するために、多層にわたる金属メッキ処理が施されているが、静電気をグランド電位に導きさえすればよい導電部材の表面には、単層の金属（たとえばニッケル）メッキ処理のみが施され、このような構成にすることにより、導電部材を安価に製作できる。
【００２２】
【発明の実施の形態】
以下、本発明の好ましい実施の形態について添付図面を参照して説明する。
【００２３】
＜第１実施形態＞
図１は、本発明の第１実施形態に係る充電装置の一例を示す外観図であり、(a) は正面図、(b) は右側面図である。図２は、被充電機器が載置される前の状態を示す充電装置の側面透視図である。図３は、図２に示す充電装置をＡ−Ａ方向に見た断面透視図である。
【００２４】
この充電装置１は、充電されることによって動作可能な、たとえば携帯電話やコードレス子機等の被充電機器Ｐに対して充電を行うための装置である。この充電装置１は、被充電機器Ｐが載置されることによりこれと接続される本体２と、この本体２にケーブル３を介して接続された変換アダプタ４と、ケーブル３の先端に設けられたコンセントプラグ５とによって概略構成されている。
【００２５】
本体２は、被充電機器Ｐが携帯可能であることから、それを載置するための載置台としての機能を備えるとともに、被充電機器Ｐに対して充電を行うための充電器としての機能を兼ね備えている。すなわち、ユーザが被充電機器Ｐをこの本体２に載置させると、必要に応じて充電が行われる。
【００２６】
なお、被充電機器Ｐは、たとえば内部に機器全体の制御を司るマイクロコンピュータ（図示せず）を備えており、被充電機器Ｐの表面には、図１に示すように、数字キー、セレクトキー、およびその他の操作キー等からなる操作部Ｐａと、動作状態や操作ガイダンス等を表示するための、たとえば液晶ディスプレイパネルからなる表示部Ｐｂとが設けられている。また、充電装置１に充電される被充電機器としては、携帯電話等に代えて、ＭＤプレイヤやビデオカメラ等のバッテリー等が適用されてもよい。
【００２７】
本体２は、側面視略三角形状の箱体からなり、正面中央に、被充電機器Ｐを載置させるための凹陥部２ａを有している。図２に示すように、凹陥部２ａの正面奥壁２ｂは、被充電機器Ｐの形状に合わせてなだらかな凹曲面状とされており、凹陥部２ａの底面２ｃは、奥行方向に向かうほど下側に傾斜した平面状とされている。
【００２８】
凹陥部２ａの底面２ｃには、複数の開口（図示せず）が形成されており、本体２には、この開口から出没可能な２つの端子部材７ａ，７ｂ（以下、総称するときは「端子部材７」という）が設けられている。この端子部材７は、本体２に被充電機器Ｐが載置されたとき、被充電機器Ｐの底部に設けられた電極部Ｐｃに接触するものである。
【００２９】
端子部材７は、本体２に内装された、充電機能を実現するための種々の回路素子（図示略）が実装された回路基板８に接続されている。この回路基板８は、外部に設けられた変換アダプタ４にケーブル３を介して接続されている。変換アダプタ４は、コンセントプラグ５に接続され、コンセントプラグ５を介して供給される商用電源（交流電圧）を直流電圧に変換して上記回路基板８に供給するものである。すなわち、被充電機器Ｐがこの本体２に載置されたとき、上記端子部材７が被充電機器Ｐの電極部Ｐｃに接触されることにより、変換アダプタ４によって変換された直流電圧が回路基板８、端子部材７および電極部Ｐｃを介して被充電機器Ｐに供給され、充電が行われる。
【００３０】
端子部材７は、図３に示すように、正面視で中心線Ｌから左右対称になる位置に並設されている。たとえば、図３における左側の端子部材７ａは、プラス側の端子部材とされ、図３における右側の端子部材７ｂは、マイナス側の端子部材とされている。
【００３１】
端子部材７は、たとえば線細工ばねによって構成されており、被充電機器Ｐの電極部Ｐｃとの接触性を良好に確保するために、ベース金属（たとえば銅またはリン青銅）の表面に、ニッケルメッキおよび金メッキ等の多層のメッキ処理が施されることによりなる。端子部材７は、回路基板８に当接支持され、回路基板８上に形成された所定の導体パターン（図示略）に電気的に接続された支持部７１と、支持部７１に接続され、被充電機器Ｐが本体２に着脱されることによって伸縮する巻回部７２と、巻回部７２に接続され、被充電機器Ｐの電極部Ｐｃに接触するための接触部７３とによって構成されている。
【００３２】
接触部７３は、一部が上方に突出した凸状に形成され、凸状部分の先端が被充電機器Ｐの電極部Ｐｃと接触される。端子部材７は、通常状態で（本体２に被充電機器Ｐが載置されていない状態で）、凹陥部２ａの底面２ｃから外部に突出しているが、本体２に被充電機器Ｐが載置されたとき、被充電機器Ｐの電極部Ｐｃによって押圧され、本体２の内側に後退するようになっている。
【００３３】
本実施形態では、本体２の凹陥部２ａの底面２ｃに、静電気をグランド電位（たとえばフレームグランド）に導くための導電部材９が設けられている。導電部材９は、凹陥部２ａの底面２ｃに形成された開口（図示略）から出没可能とされており、図３に示すように、２つの端子部材７ａ，７ｂのうち、プラス側の端子部材７ａ寄りに配されている。このように、導電部材９をプラス側の端子部材７ａ側に寄せているのは、静電気による損傷がプラス側の端子部材７ａにユーザの指が触れて静電気が流れることによって生じるため、ユーザの指がプラス側の担持部材７ａより先に導電部材９に触れるようにするためである。
【００３４】
導電部材９は、端子部材７と同様に、たとえば線細工ばねによって構成されており、その材質がたとえばばね用りん青銅材（ＪＩＳＣ５１９１Ｗ参照）である。導電部材９は、好ましくはそのベース金属の表面にニッケルメッキ等の単層のみのメッキ処理が施されたものでもよい。なお、導電部材９は、静電気を即座にグランド電位に導きさえすればよいので、たとえば端子部材７のように、ニッケルメッキの上に金メッキを施すような、多層にわたるメッキ処理を施す構成としなくてもよい。また、導電部材９は、そのばね弾性力が端子部材７のそれより小に設定されている。
【００３５】
導電部材９は、回路基板８に当接支持された支持部９１と、支持部９１の一端に接続され、被充電機器Ｐが本体２に着脱されることによって伸縮する巻回部９２と、巻回部９２に接続され、被充電機器Ｐの底部と接触する接触部９３と、支持部９１の他端に接続され、その接続部分が屈曲され下方に延びたグランド接続部９４とによって構成されている。グランド接続部９４は、その先端が、本体２の底面部に設けられ、かつグランド電位と同電位に設定された底板１０に当接されている。
【００３６】
接触部９３は、一部が上方に突出した凸状に形成され、凸状部分の先端が被充電機器Ｐの底部と接触される。導電部材９は、通常状態で（本体２に被充電機器Ｐが載置されていない状態で）、凹陥部２ａの底面２ｃから外部に突出しているが、本体２に被充電機器Ｐが載置されたとき、被充電機器Ｐの底部によって押圧され、本体２の内側に後退するようになっている。
【００３７】
接触部９３の凸状部分は、端子部材７の接触部７３の凸状部分に比してひと回り大となるように形成されており、導電部材９は、図３に示すように、端子部材７の突出方向における突出量が端子部材７のそれに比べ、長さＨだけ長くされている。
【００３８】
このように、グランド電位に導くための導電部材９が、本体２の端子部材７に比べ外部に突出して設けられておれば、たとえばユーザが端子部材７を清掃しようとしても、ユーザの指等が端子部材７より先に導電部材９に触れることになり、たとえばユーザ（人体）に蓄積されていた静電気は、導電部材９を介して底板１０（グランド電位）に導かれる。そのため、静電気が端子部材７を介して充電装置１の内部に備えられた回路基板８に侵入することが防止され、静電気による誤動作等を抑制することができる。したがって、信頼性が向上された充電装置１を提供することができる。
【００３９】
また、導電部材９は、プラス側の端子部材７ａ寄りに配されているので、主に、プラス側の端子部材７ａを通じて回路基板８等に侵入しやすい静電気を確実に阻止することができる。
【００４０】
図４は、被充電機器Ｐが本体２に載置されたときの状態を示しており、端子部材７および導電部材９は、被充電機器Ｐの電極部Ｐｃおよび底部によってそれぞれ押圧されることにより、本体２の内側に後退させられる。ここで、導電部材９は、そのばね弾性力が端子部材７のそれより小に設定されているため、以下に示す利点を有する。すなわち、被充電機器Ｐが本体２に載置された際、線細工ばねからなる導電部材９がその弾性力によって被充電機器Ｐを押圧して、端子部材７と被充電機器Ｐとの接触圧を下げることになるが、上記のように、導電部材９のばね弾性力が端子部材７のそれより小に設定されているので、導電部材９による端子部材７と被充電機器Ｐとの接触圧への影響をより少なくすることができる。
【００４１】
また、導電部材９の接触部９３の先端形状は、被充電機器Ｐに対する接触面積が、端子部材７のそれより広くなるように形成されていてもよい。たとえば、図５に示すように、接触部９３の先端形状は、略矩形状に形成されていてもよく、あるいは図６に示すように、略こぶ状に形成されていてもよい。接触部９３の先端形状を上記のように形成することにより、ユーザが端子部材７より先に導電部材９に触れる可能性を可及的に高くすることができる。なお、導電部材９の接触部９３の先端形状は、上記の形状に限るものではない。
【００４２】
また、導電部材は、端子部材７（好ましくは端子部材７ａ）の近傍に複数設けられていてもよい。たとえば、図７に示すように、導電部材９以外に、端子部材７ａの近傍に他の導電部材１１が設けられてもよい。他の導電部材１１は、導電部材９と略同様の形状および略同様の取付構造とされ、異なる点は、その接触部１１ａが凹陥部２ａの内側面２ｄに沿って配されていることである。この場合、他の導電部材１１の、凹陥部２ａの底面２ｃからの突出高さは、導電部材９より高くされていてもよい。このように、導電部材を端子部材７ａの周囲に複数設けることにより、ユーザが端子部材７ａに触れるより早く導電部材９や他の導電部材１１に触れる可能性をより高めることができる。なお、導電部材としては、他の導電部材１１に限らず、さらに他の導電部材が設けられていてもよい。
【００４３】
＜第２実施形態＞
図８は、本発明の第２実施形態に係る充電装置の一例を示す外観図である。第２実施形態の充電装置２１は、ファクシミリ装置２２の装置本体２２ａに一体的に設けられている。すなわち、充電装置２１は、装置本体２２ａの左側面の適所に固着されている。
【００４４】
ファクシミリ装置２２は、たとえばインクジェット方式の印刷機能、画像読取機能（スキャナ機能）、および画像の通信機能等の各機能を複合的に備えたものである。ファクシミリ装置２２は、たとえばファクシミリデータを送信するときには、画像読取機能を用いて原稿を読み取り、読み取った原稿データを通信機能によって送り先に送信する。また、通信機能によってファクシミリデータを受信したときには、印刷機能を用いてファクシミリデータの内容を所定の記録用紙に印字する。なお、このファクシミリ装置２２は、たとえばパーソナルコンピュータに接続された状態で独立した形で印刷装置やスキャナとして利用することもできる。また、印刷機能と画像読取機能とを連動させることで、コピー機として利用することもできる。
【００４５】
ファクシミリ装置２２は、たとえばファクシミリ装置２２の全体動作を制御するＣＰＵを主として、ＲＡＭ、ＲＯＭ、およびＮＶＲＡＭ（不揮発性ＲＡＭ：Non-Volatile RAM）等が１チップで構成されたマイクロコンピュータを有するメイン基板２３を備えている。
【００４６】
また、ファクシミリ装置２２は、同図に示すように、数字キー、ジョグダイヤルキー、およびその他の操作キー等を備え、ユーザのキー操作による入力信号をＣＰＵに伝える操作部２４が設けられている。また、ファクシミリ装置２２は、たとえば液晶ディスプレイパネルを備え、この液晶ディスプレイパネルに動作状態や操作ガイダンス等を表示する表示部２５が設けられている。
【００４７】
メイン基板２３には、コネクタ２６を介して接続ケーブル２７が接続されている。接続ケーブル２７は、充電装置２１に内装された回路基板８にコネクタ２８を介して接続されている。
【００４８】
充電装置２１は、図９に示すように、上記した第１実施形態の充電装置１の構成と略同様に、凹陥部２１ａを有し、その底面２１ｃには、導電部材９が設けられている。導電部材９は、端子部材７の突出方向における突出量が端子部材７の突出量に比べ長くされている。
【００４９】
上記のように、ファクシミリ装置２２の装置本体２２ａに充電装置２１が一体的に設けられ、ファクシミリ装置２２のメイン基板２３と、充電装置２１の回路基板８とがケーブル２７によって接続されているといった構成の場合、たとえばユーザが端子部材７の汚れ等を拭き取ろうとしたとき、ユーザの指等が端子部材７に触れてしまうと、ユーザ（人体）に蓄積されていた静電気が端子部材７、回路基板８およびケーブル２７を介してメイン基板２３に侵入してしまうことがある。そのため、メイン基板２３の回路に誤動作が生じたり、メイン基板２３に実装された回路素子を破損させてしまったりするといったおそれがある。
【００５０】
しかしながら、本第２実施形態では、図９および図１０に示すように、端子部材７に比べその突出方向に所定量長い導電部材９が設けられているので、第１実施形態と同様に、端子部材７の清掃時等に、ユーザの指等が端子部材７より先に導電部材９に触れることになり、たとえばユーザ（人体）に蓄積されていた静電気は、導電部材９を介してグランド電位に導かれる。そのため、静電気が端子部材７、回路基板８、およびケーブル２７を介してメイン基板２３に侵入することが防止され、静電気による誤動作等を抑制することができる。
【００５１】
なお、本願発明は、上記実施形態に限定されるものではない。たとえば、導電部材９の形状、材質、大きさ等は、上記した実施形態に限るものではない。また、たとえば導電部材９が設けられた凹陥部２ａにおける構成（図２および図３に示す構成）を、電源に接続されたケーブル付きのコネクタに適用するようにしてもよい。そして、このようなコネクタを、たとえば電気自動車の充電用プラグに差し込んで用いるようにしてもよい。
【００５２】
【発明の効果】
以上説明したように、請求項１に記載した発明の充電装置によれば、静電気をグランド電位に導くための導電部材の突出量が、端子部材の突出量に比べ長くされているので、たとえばユーザが端子部材を清掃しようとしたとき、ユーザの指等が端子部材より先に導電部材に触れることになる。これにより、たとえばユーザ（人体）に蓄積されていた静電気は、導電部材を介してグランド電位に即座に導かれる。そのため、静電気がたとえば充電装置の内部に備えられた回路基板等に端子部材を介して侵入することが防止され、静電気による回路基板等の誤動作等を抑制することができる。したがって、信頼性が向上された充電装置を提供することができる。
【００５３】
また、請求項２に記載した発明の充電装置によれば、請求項１に記載の充電装置による効果に加え、導電部材が正極端子部材寄りに配置されているので、正極端子部材からたとえば回路基板等に侵入しやすい静電気を阻止することができる。
【００５４】
さらに、請求項３に記載した発明の充電装置によれば、請求項１または２に記載の充電装置による効果に加え、被充電機器を本体に接続した際に、線細工ばねからなる導電部材がその弾性力によって被充電機器を押圧して、端子部材と被充電機器との接触圧を下げることになるが、上記のように、導電部材のばね弾性力が端子部材のそれより小に設定されているので、導電部材による端子部材と被充電機器との接触圧への影響をより少なくすることができる。
【００５５】
さらに、請求項４に記載した発明の充電装置によれば、請求項１ないし３のいずれかに記載の充電装置による効果に加え、被充電機器に対する接触面積が前記端子部材のそれより広く形成されているので、ユーザの指等が端子部材より先に導電部材に触れる可能性を可及的に高くすることができる。
【００５６】
さらに、請求項５に記載した発明の充電装置によれば、請求項１ないし４のいずれかに記載の充電装置による効果に加え、導電部材が端子部材の周囲に複数設けられているので、ユーザが端子部材に触れるより早く導電部材に触れる可能性をより一層高めることができる。
【００５７】
さらに、請求項６に記載した発明の充電装置によれば、請求項１ないし５のいずれかに記載の充電装置による効果に加え、たとえば端子部材では被充電機器の電極に接触するために、多層にわたる金属メッキ処理が施されているが、静電気をグランド電位に導きさえすればよい導電部材の表面には、単層の金属（たとえばニッケル）メッキ処理のみが施され、このような構成にすることにより、導電部材を安価に製作できる。
【図面の簡単な説明】
【図１】本願発明の第１実施形態に係る充電装置の一例を示す外観図であり、(a) は、正面図、(b) は、右側面図である。
【図２】被充電機器が載置される前の状態を示す充電装置の側面透視図である。
【図３】図２に示す充電装置をＡ−Ａ方向に見た断面透視図である。
【図４】被充電機器が載置された後の状態を示す充電装置の側面透視図である。
【図５】導電部材の変形例を示す図である。
【図６】導電部材の変形例を示す図である。
【図７】充電装置の変形例を示す断面透視図である。
【図８】本願発明の第２実施形態に係る充電装置が適用されるファクシミリ装置を示す外観図である。
【図９】被充電機器が載置される前の状態を示す図８に示す充電装置の側面透視図である。
【図１０】図９に示す充電装置をＢ−Ｂ方向に見た断面透視図である。
【図１１】従来の、充電装置の一例を示す外観図であり、(a) は、正面図、(b) は、右側面図である。
【符号の説明】
１，２１    充電装置
２    本体
７    端子部材
８    回路基板
９    導電部材
２２    ファクシミリ装置
Ｐ    被充電機器
【図１】
2004208350.tif 000003
【図２】
2004208350.tif 000004
【図３】
2004208350.tif 000005
【図４】
2004208350.tif 000006
【図５】
2004208350.tif 000007
【図６】
2004208350.tif 000008
【図７】
2004208350.tif 000009
【図８】
2004208350.tif 000010
【図９】
2004208350.tif 000011
【図１０】
2004208350.tif 000012
【図１１】
2004208350.tif 000013